【手続補正書】
【提出日】平成21年9月10日(2009.9.10)
【手続補正１】
【補正対象書類名】明細書
【補正対象項目名】発明の名称
【補正方法】変更
【補正の内容】
【発明の名称】光学補償シートおよびＶＡモードの液晶表示装置
【手続補正２】
【補正対象書類名】明細書
【補正対象項目名】０００１
【補正方法】変更
【補正の内容】
【０００１】
本発明は、光学補償シート、およびそれを用いた液晶表示装置に関する。
【手続補正３】
【補正対象書類名】明細書
【補正対象項目名】０００８
【補正方法】変更
【補正の内容】
【０００８】
本発明者は、透明フイルムの延伸処理条件を調節して、延伸方向での透明フイルムの破断伸びを１０乃至３０％の範囲とすることで、額縁故障や輝点故障が軽減された光学補償シートが得られることがわかった。なお、延伸処理条件の詳細については後述する。
本発明の目的は、下記（１）〜（３）の光学補償シート、および下記（４）、（５）の液晶表示装置により達成された。
（１）延伸処理を施した光学的一軸性または光学的二軸性の透明セルロースアシレートフイルムからなる光学補償シートであって、該透明セルロースアシレートフイルムの延伸方向での破断伸びが１０乃至３０％の範囲にあり、熱収縮開始温度が１３０℃以上１９０℃以下であり、面内レターデーションが２０乃至２００ｎｍであり、さらに厚み方向のレターデーションが２０乃至２００ｎｍであることを特徴とする光学補償シート。
（２）透明セルロースアシレートフイルムの面内遅相軸の、延伸軸からのずれが±３度以内の範囲にある（１）に記載の光学補償シート。
【手続補正４】
【補正対象書類名】明細書
【補正対象項目名】０００９
【補正方法】変更
【補正の内容】
【０００９】
（３）ＶＡモードの液晶セル用である（１）に記載の光学補償シート。
【手続補正５】
【補正対象書類名】明細書
【補正対象項目名】００１０
【補正方法】変更
【補正の内容】
【００１０】
（４）ＶＡモードの液晶セルおよびその両側に配置された二枚の偏光素子からなる液晶表示装置であって、偏光素子の少なくとも一方が、延伸処理を施した光学的一軸性または光学的二軸性の透明セルロースアシレートフイルム、偏光膜および透明保護膜を有する楕円偏光板であり、透明セルロースアシレートフイルムの延伸方向での破断伸びが１０乃至３０％の範囲にあり、熱収縮開始温度が１３０℃以上１９０℃以下であり、面内レターデーションが２０乃至２００ｎｍであり、さらに厚み方向のレターデーションが２０乃至２００ｎｍであることを特徴とするＶＡモードの液晶表示装置。
【手続補正６】
【補正対象書類名】明細書
【補正対象項目名】００１１
【補正方法】変更
【補正の内容】
【００１１】
（５）二枚の偏光素子のいずれもが、延伸処理を施した光学的一軸性または光学的二軸性の透明セルロースアシレートフイルム、偏光膜および透明保護膜を有する楕円偏光板であり、透明セルロースアシレートフイルムの延伸方向での破断伸びが１０乃至３０％の範囲にあり、熱収縮開始温度が１３０℃以上１９０℃以下であり、面内レターデーションが２０乃至２００ｎｍであり、さらに厚み方向のレターデーションが２０乃至２００ｎｍである（４）に記載のＶＡモードの液晶表示装置。
【手続補正７】
【補正対象書類名】明細書
【補正対象項目名】００１２
【補正方法】変更
【補正の内容】
【００１２】
本発明者は、延伸処理を施した透明フイルムの、延伸方向での破断伸びを１０乃至３０％の範囲に調節することで、液晶表示装置の広い視野角を維持したまま額縁故障や輝点故障を軽減することに成功した。
本発明の光学補償シートは、実質的に垂直に配向している棒状液晶性分子が多い液晶セルを用いた液晶表示装置に有利に用いることができる。このような液晶表示装置の例として、ＶＡ型、ＯＣＢ型、そしてＨＡＮ型の液晶表示装置を挙げることができる。
【手続補正８】
【補正対象書類名】明細書
【補正対象項目名】００１４
【補正方法】変更
【補正の内容】
【００１４】
まず、光学異方性層を有する光学補償シートを用いた液晶表示装置について説明する。
図１は、透過型液晶表示装置の基本的な構成を示す模式図である。
図１の（ａ）に示す透過型液晶表示装置は、バックライト（ＢＬ）側から順に、透明保護膜（１ａ）、偏光膜（２ａ）、透明フイルム（３ａ）、光学異方性層（４ａ）、液晶セルの下基板（５ａ）、棒状液晶性分子（６）、液晶セルの上基板（５ｂ）、光学異方性層（４ｂ）、透明フイルム（３ｂ）、偏光膜（２ｂ）、そして透明保護膜（１ｂ）からなる。
透明フイルムおよび光学異方性層（３ａ〜４ａおよび４ｂ〜３ｂ）が光学補償シートを構成する。そして、透明保護膜、偏光膜、透明フイルムおよび光学異方性層（１ａ〜４ａおよび４ｂ〜１ｂ）が楕円偏光板を構成する。
図１の（ｂ）に示す透過型液晶表示装置は、バックライト（ＢＬ）側から順に、透明保護膜（１ａ）、偏光膜（２ａ）、透明フイルム（３ａ）、光学異方性層（４ａ）、液晶セルの下基板（５ａ）、棒状液晶性分子（６）、液晶セルの上基板（５ｂ）、透明保護膜（１ｂ）、偏光膜（２ｂ）、そして透明保護膜（１ｃ）からなる。
透明フイルムおよび光学異方性層（３ａ〜４ａ）が光学補償シートを構成する。そして、透明保護膜、偏光膜、透明フイルムおよび光学異方性層（１ａ〜４ａ）が楕円偏光板を構成する。
【手続補正９】
【補正対象書類名】明細書
【補正対象項目名】００５４
【補正方法】変更
【補正の内容】
【００５４】
なお、以下の実施例において、棒状液晶の「未塗布」が本発明の実施例であり、棒状液晶の「塗布」は参考例である。
［実施例１、比較例１］
（光学的二軸性透明フイルムの作製）
平均酢化度６０．９％のセルロースアセテート４５質量部（置換度２．７；アセチル置換度は、Polymer Journal 17.1065-1069(1985)に記載の方法で１３Ｃ−ＮＭＲスペクトルから測定）、下記のレターデーション上昇剤２．３５質量部、リン酸トリフェニル２．７５質量部およびリン酸ビフェニルジフェニル２．２０質量部を、塩化メチレン２３２．７５質量部、メタノール４２．５７質量部およびｎ−ブタノール８．５０質量部に溶解した。得られた溶液を、ドラム流延機を用いて流延してセルロースアセテートフイルムを作製した。
【手続補正１０】
【補正対象書類名】特許請求の範囲
【補正対象項目名】全文
【補正方法】変更
【補正の内容】
【特許請求の範囲】
【請求項１】
延伸処理を施した光学的一軸性または光学的二軸性の透明セルロースアシレートフイルムからなる光学補償シートであって、該透明セルロースアシレートフイルムの延伸方向での破断伸びが１０乃至３０％の範囲にあり、熱収縮開始温度が１３０℃以上１９０℃以下であり、面内レターデーションが２０乃至２００ｎｍであり、さらに厚み方向のレターデーションが２０乃至２００ｎｍであることを特徴とする光学補償シート。
【請求項２】
透明セルロースアシレートフイルムの面内遅相軸の、延伸軸からのずれが±３度以内の範囲にある請求項１に記載の光学補償シート。
【請求項３】
ＶＡモードの液晶セル用である請求項１に記載の光学補償シート。
【請求項４】
ＶＡモードの液晶セルおよびその両側に配置された二枚の偏光素子からなる液晶表示装置であって、偏光素子の少なくとも一方が、延伸処理を施した光学的一軸性または光学的二軸性の透明セルロースアシレートフイルム、偏光膜および透明保護膜を有する楕円偏光板であり、透明セルロースアシレートフイルムの延伸方向での破断伸びが１０乃至３０％の範囲にあり、熱収縮開始温度が１３０℃以上１９０℃以下であり、面内レターデーションが２０乃至２００ｎｍであり、さらに厚み方向のレターデーションが２０乃至２００ｎｍであることを特徴とするＶＡモードの液晶表示装置。
【請求項５】
二枚の偏光素子のいずれもが、延伸処理を施した光学的一軸性または光学的二軸性の透明セルロースアシレートフイルム、偏光膜および透明保護膜を有する楕円偏光板であり、透明セルロースアシレートフイルムの延伸方向での破断伸びが１０乃至３０％の範囲にあり、熱収縮開始温度が１３０℃以上１９０℃以下であり、面内レターデーションが２０乃至２００ｎｍであり、さらに厚み方向のレターデーションが２０乃至２００ｎｍである請求項４に記載のＶＡモードの液晶表示装置。